(57)【要約】【課題】蓄積された塵埃の視認性を高めることができる電気掃除機を提供する。【解決手段】電気掃除機は、中空状のパイプと、前記パイプの中心軸に沿った中心軸を有し、前記パイプに接続され、前記パイプから流入した含塵空気を旋回させ、前記含塵空気から塵埃を分離する旋回室と、前記旋回室の中心軸よりも前記パイプに近づいた中心軸を有し、前記旋回室を包囲し、前記旋回室により分離された塵埃を蓄積する集塵室と、を備えた。当該構成によれば、蓄積された塵埃の視認性を高めることができる。【選択図】図１２
2016097223.tif 000002
【特許請求の範囲】
【請求項１】
中空状のパイプと、
前記パイプの中心軸に沿った中心軸を有し、前記パイプに接続され、前記パイプから流入した含塵空気を旋回させ、前記含塵空気から塵埃を分離する旋回室と、
前記旋回室の中心軸よりも前記パイプに近づいた中心軸を有し、前記旋回室を包囲し、前記旋回室により分離された塵埃を蓄積する集塵室と、
を備えた電気掃除機。
【請求項２】
床面清掃状態において、前記集塵室は、前記パイプの下方に配置されるように構成したことを特徴とする請求項１に記載の電気掃除機。
【請求項３】
前記旋回室は、前記パイプの側において前記集塵室に通じる開口を有した側壁を有した請求項１または請求項２に記載の電気掃除機。
【請求項４】
前記開口は、前記旋回室の中心軸方向から見た際の前記旋回室の側壁に沿った方向の長さが前記旋回室の中心軸方向の長さよりも長くなるように形成された請求項３に記載の電気掃除機。
【請求項５】
前記集塵室は、前記パイプの側とは反対側における前記旋回室の側壁との隙間をｗｍｍとし、前記旋回室に流入する風量をＱｍ３／ｍｉｎとした場合に、ｗをＱで除した値が５以上２５以下となるように設定された請求項１から請求項４のいずれか一項に記載の電気掃除機。
【発明の詳細な説明】
【技術分野】
【０００１】
この発明は、電気掃除機に関する。
【背景技術】
【０００２】
特許文献１は、電気掃除機を開示する。当該電気掃除機は、吸込具とパイプとサイクロン分離装置とを備える。床面の塵埃は、空気とともに吸込具とパイプとを通過してサイクロン分離装置に送られる。サイクロン分離装置は、含塵空気から塵埃を分離して蓄積する。
【先行技術文献】
【特許文献】
【０００３】
【特許文献１】特開２０１４−１００５７２号公報
【発明の概要】
【発明が解決しようとする課題】
【０００４】
しかしながら、特許文献１に記載のものにおいて、塵埃は、高速で旋回しながら蓄積される。このため、使用者は、塵埃の蓄積量を正確に把握することができない。
【０００５】
この発明は、上述の課題を解決するためになされた。この発明の目的は、蓄積された塵埃の視認性を高めることができる電気掃除機を提供することである。
【課題を解決するための手段】
【０００６】
この発明に係る電気掃除機は、中空状のパイプと、前記パイプの中心軸に沿った中心軸を有し、前記パイプに接続され、前記パイプから流入した含塵空気を旋回させ、前記含塵空気から塵埃を分離する旋回室と、前記旋回室の中心軸よりも前記パイプに近づいた中心軸を有し、前記旋回室を包囲し、前記旋回室により分離された塵埃を蓄積する集塵室と、を備えた。
【発明の効果】
【０００７】
これらの発明によれば、集塵室の中心軸は、旋回室の中心軸よりもパイプに近づいている。この場合、塵埃は、集塵室においてパイプとは反対側から蓄積される。このため、蓄積された塵埃の視認性を高めることができる。
【図面の簡単な説明】
【０００８】
【図１】この発明の実施の形態１における電気掃除機の斜視図である。
【図２】この発明の実施の形態１における電気掃除機の縦断面図である。
【図３】この発明の実施の形態１における電気掃除機の使用方法を説明するための図である。
【図４】この発明の実施の形態１における電気掃除機の集塵ユニットが収容ユニットから取り外された状態の斜視図である。
【図５】この発明の実施の形態１における電気掃除機の集塵ユニットが収容ユニットから取り外された状態の背面図である。
【図６】図５のＡ−Ａ線における断面図である。
【図７】この発明の実施の形態１における電気掃除機の集塵ユニットの分解斜視図である。
【図８】この発明の実施の形態１における電気掃除機の集塵ユニットの斜視図である。
【図９】この発明の実施の形態１における電気掃除機の集塵ユニットの正面図である。
【図１０】図９のＢ−Ｂ線における断面図である。
【図１１】図１０のＣ−Ｃ線における断面図である。
【図１２】図１０のＤ−Ｄ線における断面図である。
【発明を実施するための形態】
【０００９】
この発明を実施するための形態について添付の図面に従って説明する。なお、各図中、同一又は相当する部分には、同一の符号が付される。当該部分の重複説明は適宜に簡略化又は省略化される。
【００１０】
実施の形態１．
図１はこの発明の実施の形態１における電気掃除機の斜視図である。図２はこの発明の実施の形態１における電気掃除機の縦断面図である。
【００１１】
図１と図２とに示すように、電気掃除機１の要部は、吸込口体２と吸引パイプ３と接続パイプ４と掃除機本体５とで構成される。
【００１２】
吸込口体２は、開口部を備える。当該開口部は、吸込口体２の下面に設けられる。当該開口部は、下方を向いて開口する。吸込口体２は、接続部を備える。当該接続部は、吸込口体２の上面において長手方向の中央に設けられる。吸引パイプ３は、中空状に形成される。例えば、吸引パイプ３は、円筒状の真直ぐな部材で形成される。吸引パイプ３の一端部は、吸込口体２の接続部に接続される。接続パイプ４は、中空状に形成される。例えば、接続パイプ４は、円筒状の真直ぐな吸気風路形成部６を備える。吸気風路形成部６は、吸気風路７を形成する。接続パイプ４の一端部は、吸引パイプ３の他端部に接続される。接続パイプ４の他端部側には、接続口８が設けられる。吸込口体２の内部と吸引パイプ３の内部と接続パイプ４の内部とは、一続きに形成される。
【００１３】
掃除機本体５は、接続パイプ４の他端部に接続される。掃除機本体５は、取っ手９と操作スイッチ１０とパイプ接続口１１と収容ユニット１２と集塵ユニット１３とを備える。
【００１４】
取っ手９は、接続パイプ４と掃除機本体５との接続部の側において吸引パイプ３の中心軸および接続パイプ４の中心軸の延長線上に設けられる。取っ手９は、操作スイッチ１０を備える。パイプ接続口１１は、掃除機本体５の一端部に形成される。パイプ接続口１１は、接続口８に接続される。
【００１５】
収容ユニット１２は、全体として円筒状を呈する。収容ユニット１２は、取っ手９の一側に隣接する。収容ユニット１２は、集塵ユニット１３以外の各種機器を収容する。収容ユニット１２は、収容体１４と排気風路形成部１５とを備える。例えば、収容体１４は、成型品からなる。収容体１４は、排気風路１６の一部を形成する。収容体１４は、排気風路１６の内部において電動送風機１７を収容する。排気風路形成部１５は、収容体１４の上方に設けられる。排気風路形成部１５は、排気風路１６の一部を形成する。
【００１６】
集塵ユニット１３は、全体として円筒状を呈する。集塵ユニット１３は、接続パイプ４の一側に隣接する。集塵ユニット１３は、収容ユニット１２の下部に着脱自在に設けられる。
【００１７】
電気掃除機１において、操作スイッチ１０が操作されると、掃除機本体５は、操作スイッチ１０の操作状態に応じた運転を行う。この際、電動送風機１７が通電による駆動で吸引動作を開始すると、吸引風が電気掃除機１に形成された各風路において発生する。
【００１８】
当該吸引風により、床面上の塵埃は、空気とともに吸込口体２に吸い込まれる。その後、含塵空気は、吸込口体２の内部と吸引パイプ３の内部と接続パイプ４の内部とを通過して掃除機本体５に送られる。このように、吸込口体２と吸引パイプ３と接続パイプ４とは、外部から掃除機本体５の内部に含塵空気を流入させる外部風路を形成する。例えば、含塵空気の経路ａの一部は、図２において実線の矢印で表される。
【００１９】
含塵空気は、吸気風路７と接続口８とパイプ接続口１１とを通過して集塵ユニット１３に送られる。集塵ユニット１３は、サイクロン分離機能を発揮する。その結果、集塵ユニット１３の内部において、当該含塵空気は旋回する。塵埃は、遠心力により当該含塵空気から分離する。分離された塵埃は、集塵ユニット１３に一時的に溜められる。
【００２０】
集塵ユニット１３は、塵埃が取り除かれた清浄空気を排出する。当該清浄空気は、排気風路１６の内部において電動送風機１７を通過する。当該清浄空気は、排気風路１６を進み、排気口（図示せず）から掃除機本体５の外部に排出される。
【００２１】
次に、図３を用いて、電気掃除機１の使用方法を説明する。
図３はこの発明の実施の形態１における電気掃除機の使用方法を説明するための図である。
【００２２】
使用者が取っ手９を持って掃除をする際、吸引パイプ３と接続パイプ４とは、掃除機本体５の側に傾く。その結果、掃除機本体５は、床面に近づく。使用者は、吸込口体２を見ながら掃除を行う。この際、使用者の目線は、吸引パイプ３と接続パイプ４とに沿って動く。
【００２３】
次に、図４から図６を用いて、集塵ユニット１３が収容ユニット１２から取り外された状態を説明する。
図４はこの発明の実施の形態１における電気掃除機の集塵ユニットが収容ユニットから取り外された状態の斜視図である。図５はこの発明の実施の形態１における電気掃除機の集塵ユニットが収容ユニットから取り外された状態の背面図である。図６は図５のＡ−Ａ線における断面図である。
【００２４】
図４から図６に示すように、接続口１８は、収容体１４の下面に形成される。接続口１８は、排気風路１６に通じる。集塵ユニット１３（図４から図６においては図示せず）が収容ユニット１２から取り外されると、接続口１８は、下方に露出する。
【００２５】
次に、図７から図９を用いて、集塵ユニット１３の概要を説明する。
図７はこの発明の実施の形態１における電気掃除機の集塵ユニットの分解斜視図である。図８はこの発明の実施の形態１における電気掃除機の集塵ユニットの斜視図である。図９はこの発明の実施の形態１における電気掃除機の集塵ユニットの正面図である。
【００２６】
図７から図９においては、矢印方向が下方である。集塵ユニット１３は、流入部ケース１９と排出孔部ケース２０と集塵部ケース２１とフィルタ部２２とで構成される。例えば、流入部ケース１９と排出孔部ケース２０と集塵部ケース２１とフィルタ部２２とは、成型品からなる。例えば、集塵部ケース２１は、内部を視認し得る透明度の高い樹脂材料で形成される。
【００２７】
図７に示すように、流入部ケース１９と排出孔部ケース２０と集塵部ケース２１とフィルタ部２２とは、予め設定された操作により分解される。例えば、流入部ケース１９と排出孔部ケース２０と集塵部ケース２１とフィルタ部２２とは、図示しないロック機構に対する操作により分解される。
【００２８】
図８と図９とに示すように、流入部ケース１９と排出孔部ケース２０と集塵部ケース２１とフィルタ部２２とは、予め設定された操作により組み立てられる。例えば、流入部ケース１９と排出孔部ケース２０と集塵部ケース２１とフィルタ部２２とは、図示しないロック機構に対する操作により組み立てられる。この際、排出孔部ケース２０は、集塵ユニット１３の外部に露出しない。集塵ユニット１３は、図８と図９とに示す状態から集塵部ケース２１のみを取り外し得る。
【００２９】
次に、図１０を用いて、集塵ユニット１３の詳細を説明する。
図１０は図９のＢ−Ｂ線における断面図である。
【００３０】
図１０においては、矢印方向が下方である。流入部ケース１９は、円筒部２３と円錐部２４と隔壁部２５と流入管２６と接続部２７と０次開口２８とを備える。
【００３１】
円筒部２３は、中空の円筒状を呈する。円筒部２３の中心軸は、上下方向を向く。円錐部２４の上端部は、円筒部２３の下端部に接続される。円錐部２４は、円筒部２３の下端部から下方に延びる。円錐部２４は、中空の円錐状を呈する。円錐部２４の径は、下方に向かうにつれて小さくなる。円錐部２４の中心軸は、円筒部２３の中心軸と一致する。円筒部２３の内部空間と円錐部２４の内部空間とは一続きになる。当該空間は、旋回室２９となる。旋回室２９の側壁の上部は、中心軸方向の全域において円状となる。旋回室２９の側壁の下部は、中心軸方向の全域において円錐状となる。円錐部２４の先端部は、切り取られる。円錐部２４の下端部は、一次開口３０となる。一次開口３０は、円錐部２４の中心軸の方向において下方を向いて開口する。
【００３２】
隔壁部２５は、中空の円筒状を呈する。隔壁部２５の径は、円筒部２３の径よりも小さい。円錐部２４が隔壁部２５の内部空間に上方から挿入されると、隔壁部２５の上端部は、円錐部２４の外周面または外周面に設けられた部材に下方から接触する。隔壁部２５の内部空間において、円錐部２４を除く部分は、一次集塵室３１となる。一次集塵室３１は、円錐部２４の下方の周囲を包囲する。一次集塵室３１は、一次開口３０を介して円錐部２４に通じる。
【００３３】
流入管２６は、円筒部２３の上部に接続される。流入管２６は、一直線状を呈する部材からなる。例えば、流入管２６は、四角筒状を呈する。流入管２６の内部空間は、流入風路３２を形成する。流入管２６の一端は、ユニット流入口３３となる。ユニット流入口３３は、集塵ユニット１３の外側を向いて開口する。流入管２６の他端は、主流入口３４となる。主流入口３４は、円筒部２３の内部の側を向いて開口する。例えば、主流入口３４は、円筒部２３の上部に形成される。流入管２６の中心軸は、円筒部２３の中心軸に対して直交する。流入管２６の側壁の一方は、円筒部２３の接線方向に配置される。
【００３４】
接続部２７は、円筒部２３から外側に突き出す。接続部２７は、全体として環状を呈する。例えば、接続部２７は、高さ方向において円筒部２３の中間に配置される。
【００３５】
０次開口２８は、旋回室２９の側壁に設けられる。０次開口２８は、主流入口３４よりも低い位置に形成される。０次開口２８は、一次開口３０よりも高い位置に形成される。０次開口２８は、円筒部２３の下端部から円錐部２４の上端部にかけて形成される。例えば、０次開口２８は、接続部２７よりも僅かに低い位置に形成される。０次開口２８は、集塵ユニット１３が収容ユニット１２（図１０においては図示せず）に適切に取り付けられた際に円筒部２３の側壁において吸引パイプ３（図１０においては図示せず）と接続パイプ４（図１０においては図示せず）の側となる位置に形成される。０次開口２８は、横長に形成される。０次開口２８において、旋回室２９の中心軸方向から見た際の旋回室２９の側壁に沿った方向の長さは、旋回室２９の中心軸方向の長さよりも長い。
【００３６】
排出孔部ケース２０は、円筒部２３の上端部に上方から載せられる。排出孔部ケース２０は、円筒部２３の上端部に密着する。排出孔部ケース２０は、底部３５と側壁部３６と排出部３７とを備える。
【００３７】
排出孔部ケース２０が流入部ケース１９に対して適切に取り付けられると、底部３５は、円筒部２３の上方を塞ぐ。この際、底部３５は、旋回室２９の上壁となる。側壁部３６は、底部３５から直立する。
【００３８】
排出部３７は、底部３５の中心部に設けられる。排出部３７は、底部３５を貫通する。排出部３７は、底部３５から下方に突き出す。排出孔部ケース２０が流入部ケース１９に適切に取り付けられると、排出部３７は、底部３５から旋回室２９の内部に突き出す。排出部３７の中心軸は、円筒部２３の中心軸と一致する。例えば、排出部３７の下端は、０次開口２８の一部（上部）と同じ高さに配置されてもよい。排出部３７の内部空間は、流出風路３８の前半部となる。
【００３９】
排出部３７は、円筒部分と円錐部分と備える。円筒部分は、高さ方向において予め設定された中間位置よりも上方に設けられる。円筒部分は、円筒状を呈する。円錐部分は、高さ方向において予め設定された中間位置よりも下方に設けられる。円錐部分は、中空の円錐状を呈する。円錐部分の径は、下方に向かうにつれて小さくなる。
【００４０】
排出部３７は、多数の微細孔を備える。微細孔は、排出口３９となる。排出口３９の一部は、０次開口２８の下端よりも上方に設けられる。排出口３９の一部は、主流入口３４と同じ高さにも設けられる。排出口３９は、主流入口３４と対向する位置に設けられない。
【００４１】
集塵部ケース２１の中心軸方向の長さは、集塵部ケース２１の直径よりも長い。集塵部ケース２１は、底部４０と外壁部４１とを備える。
【００４２】
底部４０は、板状を呈する。底部４０は、全体として円形を呈する。外壁部４１は、底部４０の縁部から直立する。外壁部４１は、全体として円筒形を呈する。外壁部４１の外形は、円筒部２３の外形よりも大きい。外壁部４１は、隔壁部２５の外側に配置される。底部４０と外壁部４１とは、下方が閉じた円筒状の部材で形成される。集塵部ケース２１の内部空間は、隔壁部２５により２つの領域に区切られる。
【００４３】
外壁部４１の上端部は、接続部２７の縁部に下方から接触する。外壁部４１は、隔壁部２５と円筒部２３と円錐部２４の各一部との間で一続きの空間を形成する。当該空間は、円筒状を呈する。当該空間は、０次集塵室４２となる。０次集塵室４２の上方は、接続部２７により塞がれる。０次集塵室４２の下方は、底部４０により塞がれる。例えば、０次集塵室４２の最上部は、０次開口２８の近傍に配置される。０次集塵室４２は、０次開口２８から下方に延びる。０次集塵室４２は、旋回室２９の大部分である円筒部２３の下部と円錐部２４の周囲を包囲する。０次集塵室４２は、一次集塵室３１の周囲も包囲する。０次集塵室４２の内部空間は、集塵ユニット１３の内部において旋回室２９と一次集塵室３１と排出部３７との内部空間とほぼ同心状に配置される。
【００４４】
０次集塵室４２の中心軸は、集塵ユニット１３が収容ユニット１２に適切に取り付けられた際に旋回室２９の中心軸よりも吸引パイプ３と接続パイプ４とに近づく位置に設定される。その結果、０次集塵室４２の広大部４３は、旋回室２９の外壁と０次集塵室４２の内壁との間において、吸引パイプ３と接続パイプ４との側に形成される。０次集塵室４２の狭隘部４４は、旋回室２９の外壁と０次集塵室４２の内壁との間において、吸引パイプ３と接続パイプ４とは反対側に形成される。
【００４５】
フィルタ部２２は、集塵ユニット１３の最上部に配置される。フィルタ部２２の下部は、排出孔部ケース２０の上部と密着する。フィルタ部２２の上面は、ユニット流出口４５となる。
【００４６】
集塵ユニット１３が収容ユニット１２に適切に取り付けられると、旋回室２９等の中心軸は、収容体１４の中心軸と一致する。ユニット流入口３３は、接続口８（図１０においては図示せず）に接続される。ユニット流出口４５は、接続口１８（図１０においては図示せず）に接続される。
【００４７】
集塵ユニット１３において、含塵空気は、ユニット流入口３３から流入する。当該含塵空気は、流入管２６の内部空間を流入管２６の軸方向に直進する。当該含塵空気は、主流入口３４に達する。当該含塵空気は、主流入口３４を通過する。当該含塵空気は、円筒部２３の内部に流入する。当該含塵空気は、円筒部２３の内周面に沿うように円筒部２３の内周面の接線方向から流入する。
【００４８】
当該含塵空気は、円筒部２３の内周面に沿って予め設定された方向に旋回する旋回気流となる。当該旋回気流は、強制渦領域と自由渦領域とを形成する。強制渦領域は、当該旋回気流の軸線近傍に形成される。自由渦領域は、強制渦領域の外側に形成される。当該旋回気流は、経路構造と重力とにより下向きに流れる。
【００４９】
当該旋回気流において、繊維塵埃、毛髪等の比較的嵩の大きな塵埃αは、遠心力により円筒部２３の内周面に押し付けられながら下方に進む。当該塵埃αは、０次開口２８の高さに達した際に当該旋回気流から分離される。当該塵埃αは、０次開口２８を通過する。当該塵埃αは、０次集塵室４２に送られる。旋回室２９の内部において、空気の一部は遠心力により０次集塵室４２に流入する。
【００５０】
当該旋回気流において、砂塵埃、細かな繊維塵埃等の比較的嵩の小さな塵埃βは、０次開口２８から０次集塵室４２に進入しない。当該塵埃βは、遠心力により円錐部２４の内周面に押し付けられながら下方に進む。当該塵埃βは、一次開口３０を通過する。当該塵埃βは、一次集塵室３１に落下することにより捕捉される。
【００５１】
旋回気流は、旋回室２９の最下部に達する。当該旋回気流は、進行方向を上向きに変えて上昇気流となる。当該上昇気流は、旋回室２９の軸線に沿って上昇する。当該上昇気流は、塵埃αおよび塵埃βを含まない清浄空気となる。当該清浄空気は、排出部３７を通過する。当該清浄空気は、流出風路３８を通過する。当該清浄空気は、流出風路３８の内部空間を通過する。当該清浄空気は、ユニット流出口４５に達する。当該清浄空気は、ユニット流出口４５から接続口１８に送られる。
【００５２】
次に、図１１と図１２とを用いて、塵埃αの溜まり方を説明する。
図１１は図１０のＣ−Ｃ線における断面図である。図１２は図１０のＤ−Ｄ線における断面図である。
【００５３】
図１１に示すように、含塵空気の経路ｂは、実線の矢印で示される。経路ｂは、上方から見た際に右回りとなる。
【００５４】
図１２において、狭隘部４４の中央は、旋回室２９の側壁と０次集塵室４２との隙間が最も狭くなる箇所として定義される。旋回室２９の中心軸に対して狭隘部４４の中央を０°とすると、−９０°から９０°の範囲において、凹みおよび窪みのない箇所での狭隘部４４の幅は、ｗ（ｍｍ）に設定される。ｗは、旋回室２９に流入する風量をＱｍ３／ｍｉｎとした場合にｗをＱで除した値が５以上２５以下となるように設定される。
【００５５】
塵埃αは、０次開口２８の高さに達すると旋回気流から分離される。この際、塵埃αは、０次開口２８を通過して０次集塵室４２に送られる。その後、塵埃αは、旋回室２９の内部における空気の旋回方向と同じ方向に移動しながら０次集塵室４２の内部を落下する。この際、塵埃αは、０次集塵室４２の狭隘部４４の最下部から旋回室２９の内部における空気の旋回方向とは反対方向に蓄積することにより捕捉される。
【００５６】
以上で説明した実施の形態１によれば、電動送風機１７が吸引動作を行うと、塵埃αは０次集塵室４２に集積される。塵埃βは、一次集塵室３１に集積される。このため、小型の集塵ユニット１３でも塵埃の分離効率を向上させることができる。さらに、集塵ユニット１３から集塵部ケース２１を取り外すことにより、塵埃αと塵埃βとを簡単に捨てることができる。
【００５７】
また、流入管２６は、旋回室２９の中心軸に対し、狭隘部４４から離れた位置に設けられる。このため、流入管２６を長くすることができる。この場合、含塵空気は、旋回室２９に円滑に流入する。その結果、塵埃の分離効率をさらに向上させることができる。
【００５８】
また、一次集塵室３１は、隔壁部２５で覆われた円錐部２４の側壁の外側の空間まで延びる。このため、一次集塵室３１の上方の空間を塵埃の捕捉に使用できる。その結果、集塵ユニット１３の高さを抑えつつ、集塵容積を確保することができる。
【００５９】
また、大きな塵埃は、０次開口２８を介して０次集塵室４２に捕捉される。このため、大きな塵埃を捕捉するための別の分離装置を備える必要がない。その結果、集塵ユニット１３を小さくすることができる。集塵ユニット１３の小型化に伴い、掃除機本体５を小さくすることができる。掃除機本体５の小型化に伴い、電気掃除機１を小さくすることができる。
【００６０】
また、０次集塵室４２の中心軸は、旋回室２９の中心軸よりも吸引パイプ３と接続パイプ４とに近づいている。その結果、狭隘部４４は、吸引パイプ３および接続パイプ４とは反対側に形成される。この際、塵埃αは、狭隘部４４から蓄積される。使用者は、吸込口体２を見ながら掃除を行う。この際、使用者の目線は、吸引パイプ３と接続パイプ４とに沿って動く。このため、吸込口体２からの目線を大きく移動することなく、塵埃αの視認性を高めることができる。
【００６１】
また、吸引パイプ３と接続パイプ４とが掃除機本体５の側に傾いた床面清掃状態で使用者が掃除をすると、掃除機本体５は、床面に近づく。この際、狭隘部４４は、掃除機本体５の下側に配置される。このため、塵埃αは、重力により、吸引パイプ３と接続パイプ４とは反対側の０次集塵室４２内に溜まる。その結果、塵埃αの視認性をさらに高めることができる。
【００６２】
また、０次開口２８は、旋回室２９の側壁において吸引パイプ３と接続パイプ４との側に設けられる。このため、０次開口２８からの流路を妨げるまでの耐久容量を増加させることができる。その結果、集塵容積を有効利用できる。さらに、０次開口２８の付近は、広大部４３となっている。このため、塵埃αの舞い上がりが生じた場合でも、塵埃αは、０次開口２８に付着しにくい。その結果、塵埃αの分離効率をさらに高めることができる。
【００６３】
また、０次開口２８は、旋回室２９の中心軸方向から見た際の旋回室２９の側壁に沿った方向の長さが旋回室２９の中心軸の方向の長さよりも長くなるように形成される。このため、０次集塵室４２の底部４０から０次開口２８までの距離を長くすることができる。その結果、塵埃αが０次集塵室４２の底部４０から０次開口２８に近づくまでの耐久容量を増加することができる。その結果、集塵容積を有効利用できる。また、塵埃αの再飛散を抑制することができる。
【００６４】
また、０次集塵室４２は、狭隘部４４の隙間をｗｍｍとし、旋回室２９に流入する風量をＱｍ３／ｍｉｎとした場合に、ｗをＱで除した値が５以上２５以下となるように設定される。このため、狭隘部４４で塵埃αを確実に捕捉することができる。例えば、ｗをＱで除した値が５未満の場合は、狭隘部４４は、風量Ｑに対して狭い。この場合、気流が狭隘部４４において反転する。その結果、塵埃αは、舞い上がる。ｗをＱで除した値が２５より大きい場合は、狭隘部４４は、風量Ｑに対して広い。その結果、塵埃αは、捕捉されずに０次集塵室４２の内部で旋回を続ける。
【００６５】
なお、旋回室２９の内部の旋回力が低下すると、塵埃の分離性能は悪化する。例えば、ユニット流入口３３から主流入口３４までの距離が短い場合、気流は、接続パイプ４の曲げ部により乱れる。当該気流は、整いきれずに速度を低下させた状態で旋回室２９に流入する。この場合、主流入口３４から旋回室２９に流入する気流の速度を速くすることにより、予め設定された旋回力を確保する必要がある。このため、電動送風機１７が大きくなる。電動送風機１７の大型化に伴い、掃除機本体５が大きくなる。掃除機本体５の大型化に伴い、電気掃除機１が大きくなる。本実施の形態の集塵ユニット１３は、当該観点からも装置の小型化に貢献する。
【００６６】
また、０次集塵室４２の形状と流入管２６の配置と０次開口２８の配置と広大部４３の配置と狭隘部４４の配置とは、実施の形態１に記載のものに限定されない。これらの最適値は、旋回室２９の内部における気流の旋回速度、集塵ユニット１３の大きさ、電動送風機１７の出力風量等により変わる。
【００６７】
また、集塵ユニット１３の配置は、実施の形態１に記載された配置に限定されない。この場合も、狭隘部４４で塵埃αを捕捉することができる。その結果、塵埃αの視認性をある程度高めることができる。
【符号の説明】
【００６８】
１  電気掃除機、  ２  吸込口体、  ３  吸引パイプ、  ４  接続パイプ、  ５  掃除機本体、  ６  吸気風路形成部、  ７  吸気風路、  ８  接続口、  ９  取っ手、  １０  操作スイッチ、  １１  パイプ接続口、  １２  収容ユニット、  １３  集塵ユニット、  １４  収容体、  １５  排気風路形成部、  １６  排気風路、  １７  電動送風機、  １８  接続口、  １９  流入部ケース、  ２０  排出孔部ケース、  ２１  集塵部ケース、  ２２  フィルタ部、  ２３  円筒部、  ２４  円錐部、  ２５  隔壁部、  ２６  流入管、  ２７  接続部、  ２８  ０次開口、  ２９  旋回室、  ３０  一次開口、  ３１  一次集塵室、  ３２  流入風路、  ３３  ユニット流入口、  ３４  主流入口、  ３５  底部、  ３６  側壁部、  ３７  排出部、  ３８  流出風路、  ３９  排出口、  ４０  底部、  ４１  外壁部、  ４２  ０次集塵室、  ４３  広大部、  ４４  狭隘部
【図１】
2016097223.tif 000003
【図２】
2016097223.tif 000004
【図３】
2016097223.tif 000005
【図４】
2016097223.tif 000006
【図５】
2016097223.tif 000007
【図６】
2016097223.tif 000008
【図７】
2016097223.tif 000009
【図８】
2016097223.tif 000010
【図９】
2016097223.tif 000011
【図１０】
2016097223.tif 000012
【図１１】
2016097223.tif 000013
【図１２】
2016097223.tif 000014